(57)【要約】      （修正有）【課題】複数列のＬＥＤランプで構成する光源モジュールにおいて、暗部領域の面積を最小限にし、更に縞模様が防止できる光源モジュールを提供する。【解決手段】基板１と基板１上に設けられている複数列のＬＥＤが電源モジュールを構成する。前記ＬＥＤランプの間の配列はＬＥＤランプ１０１、１０２、１０３の光源を中心点にする三角形の配列であり、それぞれのＬＥＤランプが相互に隣接する２つのＬＥＤランプと構成する角度は５０度〜７０度の間である。ＬＥＤランプ１０１、１０２、１０３の間の光有効範囲内は円形を形成し、かつ光源の辺沿が相互に接しており、ＬＥＤランプ１０１、１０２、１０３の間の光源は内部が凹んでいる円弧辺三角形状の暗部領域１０４を構成する。【選択図】図７
0003166726.tif 000002
【実用新案登録請求の範囲】
【請求項１】
基板（１）と、前記基板（１）上に設けられている複数列のＬＥＤランプと、を備える光源モジュールであって、前記ＬＥＤランプの間の配列はＬＥＤランプ（１０１、１０２、１０３）の光源を中心点にする三角形状の配列であり、それぞれのＬＥＤランプと相互に隣接する２つＬＥＤランプとが構成する角度は５０度〜７０度の間であることを特徴とする光源モジュール。
【請求項２】
前記ＬＥＤランプ（１０１、１０２、１０３）の配列は、角度が６０度の正三角形であることを特徴とする請求項１に記載の光源モジュール。
【請求項３】
前記ＬＥＤランプと相互に隣接するＬＥＤランプとの間の距離が同一であることを特徴とする請求項２に記載の光源モジュール。
【請求項４】
前記ＬＥＤランプ（１０１、１０２、１０３）の間の光の有効範囲が円形を形成し、光源の辺沿が接しており、ＬＥＤランプ（１０１、１０２、１０３）の間の光源は内部が凹んでいる円弧辺三角形状の暗部領域（１０４）を構成していることを特徴とする請求項３に記載の光源モジュール。
【請求項５】
前記基板（１）の底面に、逆方向に配列する第１、第２のピン（１０６、１０８）がそれぞれ設けられている第１、第２の接続部材（１０５、１０７）を設けることを特徴とする請求項１に記載の光源モジュール。
【請求項６】
前記基板（１）の間を接合するとき、第１、第２のピン（１０６、１０８）を相互に第１、第２の接続部材（１０５、１０７）内に設けられている収納室内に差し込み、第１、第２のピン（１０６、１０８）の側壁が相互に密着して位置を固定することを特徴とする請求項４に記載の光源モジュール。
【考案の詳細な説明】
【技術分野】
【０００１】
本考案は省エネルギーの光源分野に関し、具体的にＬＥＤランプの配列による光源モジュールに関する。
【背景技術】
【０００２】
広告ランプケースは企業イメージを確立し、商標をアピールすることにおいて重要なルートであり、従来では広告ランプケースが駅、港、空港等の公的場所に設置されている。
【０００３】
広告ランプケース内のランプビームの明るさは距離の増加により段々減衰するため、ランプケースの表面に明暗が交互になる縞模様を形成しやすくなり、該縞模様を解決するために、ランプの密度と数を増加すると、電気代が増え、かつコストも著しく増加する。その後、技術発展によって、省エネＬＥＤランプを採用して、多数のＬＥＤランプで従来のランプを交換したが、依然として縞模様が良好に解決されていない。上述の問題点を解決するため、一部の人はＬＥＤランプをハニカム状に分布（図５を参照）させたり、ＬＥＤランプを方形に配列させたり（図３を参照）していたが、縞模様の問題は依然と解決できず、暗部領域の面積が大きい（図２、４、６を参照）問題が存在していた。
【考案の概要】
【考案が解決しようとする課題】
【０００４】
本考案は従来技術の欠点を克服するため、暗部の面積を最小限にして、更に縞模様が防止できる接合が便利な光源モジュールを提供することを目的とする。
【課題を解決するための手段】
【０００５】
本考案は下記の実施例により実現できる。本考案の電源モジュールは、基板と該基板上に設けられている複数列のＬＥＤランプから構成する。前記ＬＥＤランプの配列はＬＥＤランプの光源を中心点にする三角形状の配列であり、それぞれＬＥＤランプが相互に隣接する２つのＬＥＤランプと形成する角度は５０度〜７０度の間である。
【０００６】
前記ＬＥＤランプの配列は角度が６０度の正三角形が好ましい。
【０００７】
前記ＬＥＤランプと相互に隣接するＬＥＤランプとの間の距離が同一である。
【０００８】
ＬＥＤランプの間の光有効範囲が円形を形成し、かつ光源の辺沿が相互に接しており、ＬＥＤランプの間の光源は内部が凹んでいる円弧三角形状の暗部領域を構成している。
【０００９】
前記基板の底面に第１、第２の接続部材を設けており、第１、第２の接続部材にはそれぞれ第１、第２のピンが設けられ、第１、第２のピンは逆方向に配列されている。
【００１０】
前記基板の間を接続するとき、第１、第２のピンを第１、第２の接続部材内に設けられている収納室内に挿設し、第１、第２のピンの側壁が相互に密着して位置を固定する。
【考案の効果】
【００１１】
本考案によれば、１、ＬＥＤランプを三角形状に配列させ、暗部領域の面積を有効的に減少し、かつ縞模様を防止することができる、２、接続部材による接続方式によって、接合基板の取り付けが便利になる。
【図面の簡単な説明】
【００１２】
【図１】従来技術の構造を示す図である。
【図２】図１の照明の暗部領域範囲を示す図である。
【図３】他の従来技術の構造を示す図である。
【図４】図３の照明の暗部領域範囲を示す図である。
【図５】従来技術の構造を示す図である。
【図６】図５の照明の暗部領域範囲を示す図である。
【図７】本考案の構造を示す図である。
【図８】本考案の照明の暗部領域範囲を示す図である。
【図９】基板の間の接合前を示す図である。
【図１０】基板の間の接合後を示す図である。
【考案を実施するための形態】
【００１３】
下記では図面を参照して本考案に対して更に詳しく説明する。
【００１４】
図７に示すように、基板１と基板１上に設けられている複数列のＬＥＤが電源モジュールを構成する。前記ＬＥＤランプの間の配列はＬＥＤランプ１０１、１０２、１０３の光源を中心点にする三角形の配列であり、それぞれのＬＥＤランプが相互に隣接する２つのＬＥＤランプと構成する角度は５０度〜７０度の間である。ＬＥＤランプ１０１、１０２、１０３の間の光有効範囲内は円形を形成し、かつ光源の辺沿が相互に接しており、ＬＥＤランプ１０１、１０２、１０３の間の光源は内部が凹んでいる円弧辺三角形状の暗部領域１０４を構成する。
【００１５】
前記ＬＥＤランプ１０１、１０２、１０３の配列は角度が６０度の正三角形状が好ましい。
【００１６】
前記ＬＥＤランプが相互に隣接するＬＥＤランプとの間の距離が同一である。
【００１７】
ＬＥＤランプ１０１、１０２、１０３の間の光有効範囲内は円形を形成し、かつ光源の辺沿が相互に接しており、ＬＥＤランプ１０１、１０２、１０３の間の光源は内部が凹んでいる円弧辺三角形状の暗部領域１０４を構成する。
【００１８】
図９と図１０に示すように、前記基板１の底面に第１、第２の接続部材１０５、１０７を設け、第１、第２の接続部材１０５、１０７にはそれぞれ第１、第２のピン１０６、１０８が設けられており、第１、第２のピン１０６、１０８は逆方向に配列されている。
【００１９】
前記基板１の間を接合するとき、第１、第２のピン１０６、１０８を相互に第１、第２の接続部材１０５、１０７内に設けられている収納室内に差し込み、第１、第２のピン１０６、１０８の側壁が相互に密着して位置を固定する。
【００２０】
図８に示すように、ＬＥＤランプが点灯された後に、内部が凹んでいる円弧辺三角形状を形成している暗部領域１０４を見ることができ、該暗部領域１０４の面積が、ハニカム状に分布されるＬＥＤランプ群または長方形状に配列されるＬＥＤランプ群により形成されている面積より小さくなる。
【００２１】
接続部材１０５、１０７を利用して効率的かつ便利に大型基板群を組み立てることができる。
【図１】
0003166726.tif 000003
【図２】
0003166726.tif 000004
【図３】
0003166726.tif 000005
【図４】
0003166726.tif 000006
【図５】
0003166726.tif 000007
【図６】
0003166726.tif 000008
【図７】
0003166726.tif 000009
【図８】
0003166726.tif 000010
【図９】
0003166726.tif 000011
【図１０】
0003166726.tif 000012